(57)【要約】【課題】複数のサービス網から信号を受信可能な電話機において、各サービス網の基地局から受信した信号レベルを確認する操作について、操作性を改善し、ユーザの利便性を向上した電話機を提供する。【解決手段】複数のサービス網から信号を受信可能な電話機であって、複数のサービス網の信号を受信する受信部と、受信中の複数の信号のレベルを判定する判定手段と、前記判定手段によって判定された複数の信号レベルを同時に表示する表示部とを備える。【選択図】図２
2014207715.tif 000002
【特許請求の範囲】
【請求項１】
複数のサービス網から信号を受信可能な電話機であって、
複数のサービス網の信号を受信する受信部と、
受信中の複数のサービス網の信号レベルを判定する判定手段と、
前記判定手段によって判定された複数の信号レベルを同時に表示する表示部と
を備え、
前記表示部は、複数のサービス網に対応させて設けられた複数の信号表示領域を有し、複数のサービス網の判定された信号レベルを、当該複数のサービス網に対応する信号表示領域にそれぞれ表示するとともに、選択されているサービス網に対応する信号表示領域において、当該選択されているサービス網を他のサービス網と区別可能な態様で表示することを特徴とする電話機。
【請求項２】
前記表示部は、前記判定手段によって判定された信号レベルを、アンテナマークによって表示し、前記アンテナマークに付された通信方式を示す記号を用いて、前記選択されているサービス網と前記他のサービス網とを区別して表示することを特徴とする請求項１に記載の電話機。
【請求項３】
前記表示部は、前記判定手段によって判定された複数の信号レベルを同じ段階数で表示することを特徴とする請求項１又は請求項２に記載の電話機。
【発明の詳細な説明】
【技術分野】
【０００１】
本発明は、複数のサービス網から信号を受信可能な電話機に関する。
【背景技術】
【０００２】
通信事業者および通信方式が異なる複数の電話サービス網が構築されている現状に対応して、複数の電話サービス網に対して発着呼できる機能を一台の電話機内に内蔵し、発呼時に一の電話サービス網を選択して通信する機能を有する電話機が実用化されている。
【０００３】
このように複数の電話サービス網を用いて通信できる電話機は、一般にデュアル方式の電話機と呼ばれている。
【０００４】
デュアル方式の電話機によれば、各々の電話サービス網の基地局から受信した信号のレベルおよび電話サービス網に応じた通信料金の多寡を、ユーザが判断し選択するといった利便があるし、更に、ユーザが予め、電話サービス網の選択順位を指定しておき、電話を掛ける時点で交信可能な電話サービス網のうち、最も高い選択順位が指定されている電話サービス網を自動的に選択するようにすることもでき、大変使い勝手の良いものであるが、反面、次のような問題がある。
【先行技術文献】
【特許文献】
【０００５】
【特許文献１】特開平６−３４３１８９号公報
【発明の概要】
【発明が解決しようとする課題】
【０００６】
即ち、従来のデュアル方式の電話機では、電話機前面のディスプレイ上に一の電話サービス網の基地局から受信した信号レベルだけを表示するものであるので、ユーザが複数の電話サービス網の基地局から受信した信号のレベルを確認しようとした場合、スイッチ操作等により電話サービス網を切り替えて表示する必要があり、操作が煩雑である。
【０００７】
本発明は、前記の問題に鑑み、複数の電話サービス網を用いて通信する電話機において、各々の電話サービス網の基地局から受信した信号レベルを確認する操作について、操作性を改善し、ユーザの利便性を一層向上した電話機の提供を目的とする。
【課題を解決するための手段】
【０００８】
上記課題を解決する為に、本発明の一態様による電話機は、複数のサービス網から信号を受信可能な電話機であって、複数のサービス網の信号を受信する受信部と、受信中の複数の信号のレベルを判定する判定手段と、前記判定手段によって判定された複数の信号レベルを同じ段階数で同時に表示する表示部とを備える。
【発明の効果】
【０００９】
これにより、電話機は使用者自身がそれぞれのサービス網の受信レベルをアンテナマークを見ることで判断でき、任意のサービス網を選択することができるようになる。
【図面の簡単な説明】
【００１０】
【図１】本発明の実施形態における電話機の構成を示すブロック図である。
【図２】表示部１８の具体例である。
【図３】記憶部２１に記憶されている電話帳の具体例である。
【図４】信号レベル表示処理を示すフローチャートである。
【図５】電話サービス網選択処理を示すフローチャートである。
【発明を実施するための形態】
【００１１】
＜携帯電話機の構成＞  本実施の形態で説明する携帯電話機は、２つの電話サービス網の各々の基地局からの信号を同時に受信し、受信された各信号のレベルを判定し、判定された各レベルを示すマークを同時に表示すると共に、当該レベルがどの電話サービス網のものであるかを識別する記号をも表示するよう構成される。
【００１２】
２つの電話サービス網を用いて通信する電話機の具体例として、セルラー方式およびＣＤＭＡ（Ｃｏｄｅ  Ｄｉｖｉｓｉｏｎ  Ｍｕｌｔｉｐｌｅ  Ａｃｃｅｓｓ）方式による通信機能を内蔵し、Ａ社が提供するセルラー方式およびＢ社が提供するＣＤＭＡ方式のいずれの電話サービス網を用いても通信できる電話機、セルラー方式およびＰＨＳ（Ｐｅｒｓｏｎａｌ  Ｈａｎｄｙｐｈｏｎｅ  Ｓｙｓｔｅｍ）方式による通信機能を内蔵し、共にＣ社が提供するセルラー方式およびＰＨＳ方式のいずれの電話サービス網を用いても通信できる電話機などがある。
【００１３】
このほか、セルラー方式による通信機能のみを内蔵し、共にセルラー方式を採りＸ国のＤ社およびＹ国のＥ社が提供するいずれの電話サービス網を用いても通信できる電話機などがある。
【００１４】
本実施の形態では、前記２つの電話サービス網を、Ａ社が提供するＰＨＳ方式による電話サービス網（以下網１と称する）と、Ｂ社が提供するセルラー方式による電話サービス網（以下網２と称する）であるとして説明する。
【００１５】
図１は、本実施の形態における本発明の携帯電話機の構成を示すブロック図である。
【００１６】
同図において、１１は、網１の基地局と交信する第１無線部であり、３１は、網２の基地局と交信する第２無線部である。
【００１７】
各々の無線部は、基地局から受信した電波の強度を検出するＲＳＳＩ（Ｒｅｃｅｉｖｅｄ  Ｓｉｇｎａｌ  Ｓｔｒｅｎｇｔｈ  Ｉｎｄｉｃａｔｏｒ）検出部を含む。
【００１８】
２２は、網１の基地局から受信した電波の強度を検出する第１ＲＳＳＩ検出部であり、２３は、網２の基地局から受信した電波の強度を検出する第２ＲＳＳＩ検出部である。
【００１９】
１２は、第１無線部１１と第１ＴＤＭＡ（Ｔｉｍｅ  Ｄｉｖｉｓｉｏｎ  Ｍｕｌｔｉｐｌｅ  Ａｃｃｅｓｓ）処理部１３との間で、網１について、ディジタル化されたベースバンド信号に対してπ／４シフトＱＰＳＫ（Ｑｕａｄｒａｔｕｒｅ  Ｐｈａｓｅ  Ｓｈｉｆｔ  Ｋｅｙｉｎｇ）などにより変調および復調を行う第１モデム部である。
【００２０】
２５は、第２無線部３１と第２ＴＤＭＡ処理部２６との間で、網２の信号について第１モデム部１２と同様の処理を行う、第２モデム部である。ただし、変調および復調の方式は、セルラー方式に対応する。
【００２１】
１３は、網１の信号について、時分割多重化されたタイムスロット中、送受信に用いる送信タイムスロットと受信タイムスロットとを制御する第１ＴＤＭＡ処理部である。
【００２２】
２６は、網２の信号について、第１ＴＤＭＡ処理部１３と同様の処理を行う第２ＴＤＭＡ処理部である。
【００２３】
１５は、ディジタルオーディオ信号とアナログ音声信号とを相互に変換し、スピーカ１６、マイク１７を介して音声信号の入出力とその増幅などを行う音声処理部である。
【００２４】
１８は液晶ディスプレイパネルなどで実現される表示部である。表示部１８は、網１、網２の信号レベルを表すアンテナマーク、および、網１、網２を表す記号を表示する。
【００２５】
図２に、表示部１８の具体的な表示例を示す。３３は第１アンテナマーク表示領域、３５は第２アンテナマーク表示領域であり、各々、網１、網２に対応するアンテナマークを同時に表示している。各々のアンテナマークには、縦棒の本数が異なる複数の図柄があり、信号のレベルに応じて使い分けられる。３４は第１網識別記号表示領域、３６は第２網識別記号表示領域であり、各々の網を、方式を表す記号「ＰＨＳ」「セルラー」を用いて表示しており、さらに、発呼の際に用いられる電話サービス網を、例えば反転表示などを用いて区別できる態様で表示する。
【００２６】
１９は、テンキー（数字キーと＊キーと＃キー）および電話サービス網選択キーなどを有するキー部である。
【００２７】
２１は、電話番号と氏名と電話サービス網とを対応させた電話帳を記憶する電話帳記憶部である。
【００２８】
図３に、記憶部２１に記憶されている電話帳の具体例を示す。
【００２９】
同図のように、複数の電話番号と氏名と当該電話番号へ発呼する場合に用いるべき電話サービス網とが対応付けられている。
【００３０】
この電話帳の登録については、従来の電話機と同様にユーザ操作により行われる。特に、電話サービス網について、相手先電話番号が加入している電話サービス網をユーザが判断して指定する。
【００３１】
また電話帳は、５００件程度まで登録可能である。
【００３２】
制御部２２は、信号レベル判定部２４を有し、マイクロコンピュータおよび内蔵ＲＯＭにより実現され、記憶部２１又は内蔵ＲＯＭ内のプログラムを実行することによって携帯電話機全体の制御を行う。
【００３３】
信号レベル判定部２４は、第１ＲＳＳＩ検出部２２および第２ＲＳＳＩ検出部２３によって検出された各々の電波の強度に基づいて、従来の電話機と同様に、信号のレベルを０（圏外）、１（可）、２（良）、３（優）の４段階で判定する。
【００３４】
特に、制御部２２は、レベル表示処理として、信号レベル判定部２４によって判定された各々のレベルに基づいて、表示部１８に２つのアンテナマークを同時に表示させる。
【００３５】
また、制御部２２は、電話サービス網選択処理として、発呼に際し、発呼先電話番号に応じて、通信料金面で有利な電話サービス網を選択し、当該選択に従って電話サービス網を表す記号の表示を更新する。
【００３６】
＜レベル表示処理＞  図４は、制御部２２における、レベル表示処理を示すフローチャートである。
【００３７】
信号レベル判定部２４は、網１の信号レベルを判定し（ステップ１０１）、制御部２２は判定された信号レベルに応じた縦棒の本数のアンテナマークを第１アンテナマーク表示領域３３に表示させる（ステップ１０２）。
【００３８】
信号レベル判定部２４は、網２の信号レベルを判定し（ステップ１０３）、制御部２２は判定された信号レベルに応じた縦棒の本数のアンテナマークを第２アンテナマーク表示領域３５に表示させる（ステップ１０４）。
【００３９】
この処理を、電話機の電源が入っている間、繰り返し実行する（ステップ１０５）。
【００４０】
各々の信号レベルを判定する方法、判定された信号レベルに応じた縦棒の本数のアンテナマークを表示させる方法については、従来の電話機で行われている方法を用いるため、詳細な説明は省略する。
【００４１】
この処理によれば、網１および網２の信号のレベルが同時に表示されるため、ユーザが双方の電話サービス網の信号レベルを確認しようとした場合に、スイッチ操作等により電話サービス網を切り替える必要がない。
【００４２】
＜電話サービス網選択処理＞  図５は、制御部２２における、電話サービス網選択処理を示すフローチャートである。
【００４３】
この処理は、発呼に際してユーザから発呼先を指定されたときに実行される。発呼先の指定は、ユーザが電話番号を入力するか、または、電話帳から選択することにより行われる。
【００４４】
制御部２２は、ユーザから入力された電話番号、または、電話帳の選択に基づいて、記憶部２１に記憶されている電話帳から、発呼に用いるべき電話サービス網を求める（ステップ１１０）。
【００４５】
電話サービス網が登録されていない場合は（ステップ１１１）、発呼先が加入している電話サービス網を電話番号から判断する（ステップ１１６）。
【００４６】
この判断は一定の規則、例えば、電話番号の先頭３桁が０７０であれば網１、０９０であれば網２であるというような規則によって行う。
【００４７】
電話帳に電話サービス網が登録されているか、または、電話番号から発呼先が加入している電話サービス網が網１または網２であると判断される場合は（ステップ１１７）、当該電話サービス網の信号レベルを参照する。
【００４８】
もし圏外であれば（ステップ１１２）、現に選択されている電話サービス網の選択をそのまま維持する（ステップ１１４）。
【００４９】
そうでなければ、当該電話サービス網を選択し（ステップ１１３）、選択した電話サービス網を表す記号を反転表示する（ステップ１１５）。
【００５０】
この処理によれば、従来技術である、ユーザが予め指定した電話サービス網の選択順位に従って自動的に電話サービス網を選択する電話機において、必ずしも通信料金が有利な電話サービス網が選択されないという問題を解決できる。
【００５１】
この問題は、係る電話機において、例えば、選択順位として網１が第１位であり、網２
が第２位であると指定されていて、かつ、いずれの電話サービス網の基地局とも交信可能である場合において、網２に加入している相手に電話を掛ける場合、電話機は選択順位が第１位と指定さている網１を選択するため、同一電話サービス網内で通信する網２を選択する場合に比べて通信料金が不利となるものである。
【００５２】
このため、網１の選択順位が第１位であると指定されている場合において網２に加入している相手先に発呼する場合に、ユーザが通信料金を勘案して網２を用いるよう、スイッチを操作する等して切り替えたところ、網２の基地局からの信号のレベルが劣悪であることが分かり、再びスイッチを操作する等して網１に切り替えて電話を掛ける場合があり、ユーザの利便性が損なわれている。
【００５３】
前記電話サービス網選択処理によれば、電話番号から選択すべき電話サービス網を判断し、当該判断された電話サービス網が利用可能な限りにおいて、その電話サービス網を選択して発呼するため、発呼先が加入している電話サービス網と異なる電話サービス網を用いて通信料金が不利になるということがなく、ユーザが通信料金を勘案して行う電話サービス網の選択操作が不要となる。
【００５４】
なお、前記実施形態では、ＰＨＳ方式およびセルラー方式を採る電話サービス網を用いて通信する携帯電話機を例に説明したが、ＣＤＭＡ方式とセルラー方式を採る電話サービス網を用いて通信する携帯電話機であってもよい。
【００５５】
この場合は、図１において、第１ＴＤＭＡ処理部１３に代えて、ＣＤＭＡ処理部を設ける点が異なる。
【００５６】
なお、前記携帯電話機は、共にセルラー方式を採るＸ国のＤ社およびＹ国のＥ社が提供する電話サービス網を用いて通信する携帯電話機であってもよい。
【００５７】
この場合、各々の電話サービス網は、異なる周波数の電波を用いており、図１において、第１無線部１１は一方の周波数、第２無線部３１は他方の周波数を用いて、各々の電話サービス網の基地局と交信するように構成すればよい。
【００５８】
すなわち、この構成の場合は、同図の第１モデム部１２における変調および復調の方式が、セルラー方式に対応する点、図２の第１網識別記号表示領域３４および第２網識別記号表示領域３６に表示される記号として、方式を表す記号に代えて、国もしくは通信事業者を表す記号を用いる点が、前記実施形態と異なる。
【００５９】
なお、前記実施形態では、ユーザが発呼に用いる電話サービス網を選択するために複数の信号レベルを確認する状況の例を用いて、操作性が改善されることを説明したが、本技術は当該状況に限らず、通話時を含めて、携帯電話機の電源が入っている限りにおいて適用できる。
【００６０】
本発明の電話機は、複数の電話サービス網から所望する一のサービス網を選択して通信する電話機であって、複数の電話サービス網の各々の基地局からの信号を受信する受信手段と、受信中の各信号のレベルを判定する判定手段と、判定された各電話サービス網の信号レベルを示すマークをディスプレイ上に併せて表示する表示手段とを備えることを特徴とする。
【００６１】
この構成によれば、複数の電話サービス網から受信した信号のレベルは同時に表示されるため、ユーザが双方の電話サービス網の信号レベルを確認しようとした場合に、スイッチ操作等により電話サービス網を切り替える必要がない。
【００６２】
また、前記表示手段はさらに信号レベルを示すマークがいずれの電話サービス網のものであるかを識別する記号をディスプレイ上に併せて表示してもよい。
【００６３】
この構成によれば、双方の信号レベルを示すマークがいずれの電話サービス網のものであるかを一層明確に表示できる。
【００６４】
また、前記電話機はさらに発呼先の電話番号がどの電話サービス網のものであるかを判断する判断手段と、判断された電話サービス網および前記判定手段で判定されたレベルに応じて、発呼に用いる電話サービス網を選択する選択手段とを備えてもよい。
【００６５】
この構成によれば、上記効果に加えて、電話番号から電話サービス網を判断し、当該判断された電話サービス網が利用可能な限りにおいて、その電話サービス網を選択して発呼するため、発呼先が加入している電話サービス網と異なる電話サービス網を用いて通信料金が不利になるということがなく、ユーザが通信料金を勘案して行う電話サービス網の選択操作が不要となる。
【００６６】
また、前記電話機はさらに電話番号と電話サービス網とを対応させた電話帳を記憶している電話帳記憶手段と、発呼時に、電話帳記憶手段に記憶されている電話帳と前記判定手段で判定されたレベルとを参照して、発呼に用いる電話サービス網を選択する選択手段とを備えてもよい。
【００６７】
この構成によれば、上記効果に加えて、電話番号から電話サービス網を判断する一定の規則が存在しない場合においても、電話サービス網を的確に選択することができる。
【符号の説明】
【００６８】
１１    第１無線部
１２    第１モデム部
１３    第１ＴＤＭＡ処理部
１５    音声処理部
１６    スピーカ
１７    マイク
１８    表示部
１９    キー部
２１    記憶部
２２    制御部
２２    第１ＲＳＳＩ検出部
２３    第２ＲＳＳＩ検出部
２４    信号レベル判定部
２５    第２モデム部
２６    第２ＴＤＭＡ処理部
３１    第２無線部
３３    第１アンテナマーク表示領域
３４    第１網識別記号表示領域
３５    第２アンテナマーク表示領域
３６    第２網識別記号表示領域 
【図１】
2014207715.tif 000003
【図２】
2014207715.tif 000004
【図３】
2014207715.tif 000005
【図４】
2014207715.tif 000006
【図５】
2014207715.tif 000007
【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
第１および第２のサービス網から信号を受信可能な電話機であって、
前記第１および第２のサービス網の信号を受信する受信部と、
受信中の前記第１および第２のサービス網の信号レベルを判定する判定手段と、
前記判定手段によって判定された第１および第２の信号レベルを同時に表示する表示部と
を備え、
前記表示部は、前記第１および第２の信号レベルを示すマークをそれぞれ表示するとともに、前記第１のサービス網が選択されている場合、当該選択されている前記第１のサービス網の方式を表す記号を、前記第１のサービス網の信号レベルを示すマークに近接させて、かつ前記第１のサービス網が選択されていることがわかるような態様で表示することを特徴とする電話機。